(57)【特許請求の範囲】
【請求項１】
原子炉圧力容器のフランジ面を覆ってシール面を保護するシール面プロテクタの吊り上げ用治具であって、
クレーンに吊り下げられる吊り上げ用治具本体と、この吊り上げ用治具本体に、前記シール面プロテクタの外周直上まで伸縮可能に装着され先端部にワイヤ取付部を備えた少なくとも３本以上の伸縮吊りアームとでなることを特徴とする原子炉圧力容器のフランジシール面プロテクタの吊り上げ用治具。
【請求項２】
前記吊り上げ用治具本体と前記伸縮吊りアームとの間にガイド溝とガイド兼ストッパとを設けるとともに、これら吊り上げ用治具本体と伸縮吊りアームとの間で転動する伸縮移動用ローラを設けたことを特徴とする請求項１記載の原子炉圧力容器のフランジシール面プロテクタの吊り上げ用治具。
【発明の詳細な説明】
【０００１】
【発明の属する技術分野】
この発明は、原子炉圧力容器のフランジシール面プロテクタの吊り上げ用治具に関し、原子炉圧力容器のフランジのシール面プロテクタを吊り上げて取り付ける場合や取り外しする場合に吊りワイヤが炉水に浸る恐れをなくし、簡単かつ短時間に作業でき、被爆低減を図るようにしたものである。
【０００２】
【従来の技術】
原子力発電所では、その運転にあたっては安全性の確保を最優先させなければならず、構成機器に対して定期的な検査が義務づけられており、例えば図４に示す原子炉圧力容器１も通常１年に１回の供用期間中検査を行うため原子炉圧力容器１の蓋２を外して開放する必要がある。
【０００３】
このような検査のためなどで原子炉圧力容器１を開放したのち、ふたたび蓋２を取付ける場合に原子炉圧力容器１のフランジ１ａのシール面１ｂが傷付いたり、損傷すると、シール状態とすることができなくなることから、蓋２を外すと、フランジ１ａのシール面１ｂを保護するためシール面プロテクタ３を取付けて保護することが行われる。
【０００４】
このシール面プロテクタ３は、図５に示すように、原子炉圧力容器１のフランジ１ａのシール面１ｂの大きさに対応したリング状に形成され、外周４か所にスタットボルト１ｃを利用して取付ける固定孔３ａが形成され、さらにこれら固定孔３ａに隣接して吊り金具３ｂが２つずつ合計８個設けてある。
【０００５】
そして、このシール面プロテクタ３の取り付けにあたっては、図６に示すように、クレーンのフック４に８本の吊りワイヤ５の上端を支持し、下端のカラビナ６を介して吊り金具３ｂに連結して吊り上げ、所定の位置に取り付けたり、取り外すようにしている。
【０００６】
【発明が解決しようとする課題】
ところが、このようなクレーンのフック４に吊りワイヤ５を掛けて吊り上げて取り付けたのち、吊りワイヤ５を取り外す場合にカラビナ６を外すと、吊りワイヤ５がフック４の真下に垂れ下がり、原子炉圧力容器１内の炉水に浸る恐れがある。
【０００７】
このため、これまでは、シール面プロテクタ３の周囲４か所の吊り金具３ｂのところに作業員を配置し、吊りワイヤ５を掴んだままカラビナ６を取り外すようにし、ある高さまでフック４を上昇させて吊りワイヤ５を吊り上げた後に離すようにしなければならず、作業は繁雑で作業時間も長くなるという問題がある。
【０００８】
この発明は上記従来技術の有する課題に鑑みてなされたもので、吊りワイヤが炉水に浸る恐れがなく、多くの作業者を必要とせずに短時間でシール面プロテクタの取り付けや取り外しができ、被爆量の低減も図ることができる原子炉圧力容器のフランジシール面プロテクタの吊り上げ用治具を提供しようとするものである。
【０００９】
【課題を解決するための手段】
上記課題を解決するためこの発明の請求項１記載の原子炉圧力容器のフランジシール面プロテクタの吊り上げ用治具は、原子炉圧力容器のフランジ面を覆ってシール面を保護するシール面プロテクタの吊り上げ用治具であって、クレーンに吊り下げられる吊り上げ用治具本体と、この吊り上げ用治具本体に、前記シール面プロテクタの外周直上まで伸縮可能に装着され先端部にワイヤ取付部を備えた少なくとも３本以上の伸縮吊りアームとでなることを特徴とするものである。
【００１０】
この原子炉圧力容器のフランジシール面プロテクタの吊り上げ用治具によれば、シール面プロテクタの吊り上げ用治具を、クレーンに吊り下げられる吊り上げ用治具本体と、この吊り上げ用治具本体に、前記シール面プロテクタの外周直上まで伸縮可能に装着され先端部にワイヤ取付部を備えた少なくとも３本以上の伸縮吊りアームとで構成しており、吊り上げ用治具本体をクレーンに吊り下げ、伸縮吊りアームの先端をシール面プロテクタの外周直上に位置させることで吊りワイヤをほぼ垂直にでき、取り外しても下端位置が変化せず吊りワイヤを押さえる必要もなく、炉水に浸る恐れを無くして１人でも吊りワイヤの取り外しができ、しかも短時間に作業ができ、被爆量の低減も図るようにしている。
【００１１】
また、この発明の請求項２記載の原子炉圧力容器のフランジシール面プロテクタの吊り上げ用治具は、請求項１記載の構成に加え、前記吊り上げ用治具本体と前記伸縮吊りアームとの間にガイド溝とガイド兼ストッパとを設けるとともに、これら吊り上げ用治具本体と伸縮吊りアームとの間で転動する伸縮移動用ローラを設けたことを特徴とするものである。
【００１２】
この原子炉圧力容器のフランジシール面プロテクタの吊り上げ用治具によれば、吊り上げ用治具本体と伸縮吊りアームとの間にガイド溝とガイド兼ストッパとを設けるとともに、これら吊り上げ用治具本体と伸縮吊りアームとの間で転動する伸縮移動用ローラを設けるようにしており、伸縮吊りアームの伸縮をガイド溝とガイド兼ストッパでガイドしながら所定の長さで伸縮を規制でき、しかも伸縮移動用ローラでスムーズに伸縮移動させることができるようになる。
【００１３】
【発明の実施の形態】
以下、この発明の一実施の形態について図面に基づき詳細に説明する。
図１〜図３はこの発明の原子炉圧力容器のフランジシール面プロテクタの吊り上げ用治具の一実施の形態にかかり、図１は正面図および平面図、図２は一部分の分解斜視図、図３は使用状態の概略説明図である。
【００１４】
この原子炉圧力容器のフランジシール面プロテクタの吊り上げ用治具（以下、単に吊り上げ用治具とする。）１０は、クレーンのフック４に吊り下げられる吊り上げ用治具本体１１を備えており、図１に示すように、断面矩形の４本の中空体１２を十字状に連結して構成してある。
【００１５】
この吊り上げ用治具本体１１には、各中空体１２の上部にクレーンのフック４に吊り下げるための吊り部材１３が溶接され、４本の吊りワイヤ５で吊り下げることができるようにしてある。
【００１６】
また、この吊り上げ用治具本体１１の各中空体１２の底板には、中心から先端の手前までガイド溝１４が形成してある。
【００１７】
このような吊り上げ用治具本体１１の各中空体１２には、伸縮吊りアーム１５が挿入されて伸縮できるようになっており、例えばＨ型鋼で構成され、フランジ部を上下に水平に配置し、垂直のウエブの両側に垂直軸回りに回転するローラ１６が複数個（図示例では、３個）設けてあり、伸縮吊りアーム１５をスムーズに伸縮できるようにしてある。
【００１８】
また、この伸縮吊りアーム１５にその基端部底面にガイド兼ストッパ１７が下方に突き出して取り付けてあり、吊り上げ用治具本体１１のガイド溝１４に沿って摺動することでガイドされるとともに、ガイド溝１４の端部に当たることで抜け落ちることを防止するストッパとして機能するようになっている。
【００１９】
そして、このような伸縮吊りアーム１５の先端部底面には、シール面プロテクタ３を吊り上げるためのワイヤを取り付けるワイヤ取付部１８が下方に突き出して溶接してある。
【００２０】
このように構成した吊り上げ用治具１０によるシール面プロテクタ３の取り付けや取り外しは次のようにして行う。
【００２１】
ここでは、シール面プロテクタ３を原子炉圧力容器１のフランジ１ａのシール面１ｂに取り付ける場合を説明する。
【００２２】
吊り上げ用治具１０の吊り上げ用治具本体１１の吊り部材１３に吊りワイヤ５を取り付けてクレーンのフック４で吊り上げ用治具１０を吊り上げてシール面プロテクタ３の中心部上方に移動する。
【００２３】
こののち、４本の伸縮吊りアーム１５をそれぞれ吊り上げ用治具本体１１から引き出すようにして伸長し、先端部のワイヤ取付部１８がシール面プロテクタ３の各吊り金具３ｂのほぼ直上に位置するようにする。
【００２４】
そして、４本の伸縮吊りアーム１５の各ワイヤ取付部１８とシール面プロテクタ３の隣接する２つの吊り金具３ｂとの間にワイヤ１９をほぼ垂直に連結して吊り上げる。
【００２５】
この状態で原子炉圧力容器１のフランジ１ａのシール面１ｂ上に移動し、所定の位置に取り付ける。
【００２６】
この後、ワイヤ１９をシール面プロテクタ３の吊り金具３ｂから取り外すが、ワイヤ１９がほぼ垂直となっているので、フック４の下方に垂れ下がって炉水に浸ることもなく、吊り金具３ｂから取り外すだけ良く、簡単かつ短時間に作業を行うことができ、被爆量を低減することもできる。
【００２７】
また、ワイヤ１９の取り外しの際、それぞれのワイヤ１９を押える必要がなく、多数の作業者を配置すること無く、シール面プロテクタ３の取り外しを行うことができる。
【００２８】
同様にして、原子炉圧力容器１のフランジ１ａのシール面１ｂに取り付けたシール面プロテクタ３を取り外す場合にも吊り上げ用治具１０の伸縮吊りアーム１５のワイヤ取付部１８から垂れ下げてあるワイヤ１９を順次シール面プロテクタ３の吊り金具３ｂに連結したのち、吊り上げて取り外せば良く、１人の作業者で簡単かつ短時間に作業を行うことができ、被爆量も低減することができる。
【００２９】
また、この吊り上げ用治具１０によれば、原子炉圧力容器１の大きさが異なる場合にも、吊り上げ用治具本体１１に対する伸縮吊りアーム１５の突き出し量を調整することで簡単に対応することができる。
【００３０】
さらに、この吊り上げ用治具１０によれば、ワイヤ１９をほぼ垂直にして吊り上げるようにするので、直径の大きなシール面プロテクタ３を吊り上げても撓みなどの変形を極力抑えて吊り上げることができる。
【００３１】
なお、上記実施の形態では、伸縮吊りアームを４本として構成した場合で説明したが、少なくとも３本以上であれば良く、本数を増加すれば、シール面プロテクタの撓みを一層抑えることができるようになる。
【００３２】
【発明の効果】
以上、一実施の形態とともに具体的に説明したようにこの発明の請求項１記載の原子炉圧力容器のフランジシール面プロテクタの吊り上げ用治具によれば、シール面プロテクタの吊り上げ用治具を、クレーンに吊り下げられる吊り上げ用治具本体と、この吊り上げ用治具本体に、前記シール面プロテクタの外周直上まで伸縮可能に装着され先端部にワイヤ取付部を備えた少なくとも３本以上の伸縮吊りアームとで構成したので、吊り上げ用治具本体をクレーンに吊り下げ、伸縮吊りアームの先端をシール面プロテクタの外周直上に位置させることで吊りワイヤをほぼ垂直にでき、取り外しても下端位置が変化せず吊りワイヤを押さえる必要もなく、炉水に浸る恐れを無くして１人でも吊りワイヤの取り外しができるとともに、短時間に作業ができ、被爆量の低減を図ることもできる。
【００３３】
また、この発明の請求項２記載の原子炉圧力容器のフランジシール面プロテクタの吊り上げ用治具によれば、吊り上げ用治具本体と伸縮吊りアームとの間にガイド溝とガイド兼ストッパとを設けるとともに、これら吊り上げ用治具本体と伸縮吊りアームとの間で転動する伸縮移動用ローラを設けるようにしたので、伸縮吊りアームの伸縮をガイド溝とガイド兼ストッパでガイドしながら所定の長さで伸縮を規制でき、しかも伸縮移動用ローラでスムーズに伸縮移動させることができ、作業を円滑に進めることができる。
【図面の簡単な説明】
【図１】この発明の原子炉圧力容器のフランジシール面プロテクタの吊り上げ用治具の一実施の形態にかかる正面図および平面図である。
【図２】この発明の原子炉圧力容器のフランジシール面プロテクタの吊り上げ用治具の一実施の形態にかかる一部分の分解斜視図である。
【図３】この発明の原子炉圧力容器のフランジシール面プロテクタの吊り上げ用治具の一実施の形態にかかる使用状態の概略説明図である。
【図４】この発明の原子炉圧力容器のフランジシール面プロテクタの吊り上げ用治具が用いられる原子炉圧力容器の部分縦断面図である。
【図５】この発明の原子炉圧力容器のフランジシール面プロテクタの吊り上げ用治具の吊り上げ対象のシール面プロテクタの平面図および部分拡大斜視図である。
【図６】従来のシール面プロテクタの吊り上げ作業の説明図である。
【符号の説明】
１  原子炉圧力容器
１ａ  フランジ
１ｂ  シール面
１ｃ  スタッドボルト
２  蓋
３  シール面プロテクタ
３ａ  取付孔
３ｂ  吊り金具
４  クレーンのフック
５  吊りワイヤ
１０  吊り上げ用治具
１１  吊り上げ用治具本体
１２  中空体
１３  吊り部材
１４  ガイド溝
１５  伸縮吊りアーム
１６  ローラ
１７  ガイド兼ストッパ
１８  ワイヤ取付部
１９  ワイヤ
【図１】
0004457286.tif 000002
【図２】
0004457286.tif 000003
【図３】
0004457286.tif 000004
【図４】
0004457286.tif 000005
【図５】
0004457286.tif 000006
【図６】
0004457286.tif 000007